(57)【要約】      （修正有）【課題】尿採集システムおよび／またはモニタリングシステムのための調節可能な長さのドレインチューブを形成するためのデバイスを提供すること。【解決手段】ドレインチューブ１２において選択的に調節可能なループ１４を形成するためのクリップ１００であって、該クリップは、基部；該基部から延びる、少なくとも一対のアームであって、該アームは、ドレインチューブの少なくとも第１セクションを、該ドレインチューブの第２セクションに隣り合う関係において調節可能に保持するように構成された内部把持表面を形成する、少なくとも一対のアーム、を備える、クリップ。【選択図】図２
2007275599.tif 000002
【特許請求の範囲】
【請求項１】
ドレインチューブにおいて選択的に調節可能なループを形成するためのクリップであって、該クリップは、
基部；
該基部から延びる、少なくとも一対のアームであって、該アームは、ドレインチューブの少なくとも第１セクションを、該ドレインチューブの第２セクションに隣り合う関係において調節可能に保持するように構成された内部把持表面を形成する、少なくとも一対のアーム、
を備える、クリップ。
【請求項２】
ベッドまたはベッドシーツに前記クリップを留めるための手段をさらに備える、請求項１に記載のクリップ。
【請求項３】
尿採集システムのドレインチューブにおいて調節可能なループを維持するためのデバイスであって、該デバイスは、
ドレインチューブの第１セクションおよび第２セクションを、互いに隣り合う関係において保持するための少なくとも１つの凹部を規定する基部、
を備える、デバイス。
【請求項４】
ベッドまたはベッドシーツに前記デバイスを留めるための手段をさらに備える、請求項３に記載のデバイス。
【請求項５】
前記基部は、前記ドレインチューブの第１セクションおよび第２セクションを、互いに隣り合う関係においてスライド可能に保持するための２つの凹部を規定する、請求項３に記載のデバイス。
【請求項６】
尿採集システムと共に使用するためのドレインチューブであって、該ドレインチューブは、
該チューブの２つのセクションが互いに隣り合う関係にあるループを形成するチューブ；および
該ドレインチューブの２つのセクションを互いに隣り合う関係において調節可能に保持するように構成された保持デバイス、
を備える、ドレインチューブ。
【請求項７】
前記保持デバイスは、クリップ、バンドまたは複数のバンドからなる群より選択される、請求項６に記載のドレインチューブ。
【請求項８】
ベッドまたはベッドシーツに前記ループを留めるための手段をさらに備える、請求項６に記載のドレインチューブ。
【請求項９】
前記ループを留めるための手段は、前記保持デバイスと一体化して形成される、請求項８に記載のドレインチューブ。
【請求項１０】
尿採集システムおよび／またはモニタリングシステムのドレインチューブにおいて背圧が形成されないようにする方法であって、該方法は、
調節可能なループが形成されたドレインチューブを提供する工程；および
該調節可能なループを、該尿採集および／またはモニタリングデバイスへの入り口より上の水平面に位置づける工程、
を包含する、方法。
【発明の詳細な説明】
【技術分野】
【０００１】
１．技術分野
本開示は、尿採集システムおよび／またはモニタリングシステムに関し、より詳細には、尿採集システムとともに使用するための調節可能なドレインチューブループを形成するためのデバイスに関する。
【背景技術】
【０００２】
２．関連技術の背景
尿採集システムおよび／またはモニタリングシステムは周知であり、カテーテルを挿入した患者から尿を採集するために一般的に使用されている。尿採集システムは、患者に対して操作可能に接続されたカテーテル、上記流体を採集するための流体レザバ、および上記カテーテルを上記レザバと接続するドレインチューブからなる。代表的には、尿採集システムは、多くの手術手順を行う前、その間およびその後に、特に、患者が歩行できないかまたは設備を通常通りに扱うために十分明晰でない場合に、使用される。
【０００３】
尿採集システムにおいて、上記カテーテルを上記流体レザバに接続するためにより長くかつ必須のドレインチューブを提供することが望ましい。上記ドレインチューブにおいて余分の長さがあることで、上記カテーテルおよび流体レザバ接続に圧力を加えることなく、上記患者を位置移動（ｒｅｐｏｓｉｔｉｏｎｉｎｇ）することが可能になる。圧力が存在すると、患者に大きな疼痛を引き起こし得る。患者は、ベッドシーツが汚れて、交換することが必要となった場合、特定の試験が行われる場合、および患者の筋肉の萎縮を防止するためを含め、入院の間に数え切れないほど何回も位置移動することが必要であり得る。ドレインチューブは、装着される患者の位置移動を可能にするために十分過剰なチュービングを伴う通常の長さで製造される。留め具は、標準的なドレインチューブの各端部に配置され、上記チューブ自体が、短くなってしまわないようにされる。
【０００４】
しかし、上記ドレインチューブにおける過剰な長さは、しばしば、尿が流れるとともに問題を引き起こす。尿メーターおよび流体レザバは、概して、患者の付近にあるベッドの骨組みまたはベッドの柵に固定される。上記ドレインチューブは、ベッドにおいて水平面に位置した患者に接続された上記カテーテル端部から始まる。上記ドレインチューブは、ベッドの端から垂れ下がり得、上記流体レザバに入るために上がって戻る前に、ベッドの骨組みより下に下がる（図１）。このドレインチューブの構成は、尿を重力に逆らって流れることを余儀なくさせ、患者の膀胱に対して背圧を引き起こす。仰向けになった患者の膀胱によって引き起こされる尿力学的安静時膀胱圧（水柱を４〜８インチ上昇させる圧力（約９９６パスカル〜１９９３パスカルに等しい））は、この背圧に勝ることができない。この背圧は、尿の流れを制限し得、患者の不快感、膀胱拡張、漏れなどを潜在的に引き起こす。
【０００５】
従って、ドレインチューブの長さが、ドレインチューブの長さ全体を流体レザバより上に維持しながら調節され得るように、尿採集システムおよび／またはモニタリングシステムのための調節可能な長さのドレインチューブを形成するためのデバイスを有することは有益である。
【発明の開示】
【課題を解決するための手段】
【０００６】
（要旨）
本開示によれば、クリップは、ドレインチューブにおいて選択的に調節可能なループを形成するために提供される。一実施形態において、上記クリップは、基部と、上記基部から延びている少なくとも一対のアームを備える。上記アームは、ドレインチューブの少なくとも第１セクションを、上記ドレインチューブの第２セクションに対して隣り合う関係において調節可能に保持するように構成された内部把持表面を形成する。上記クリップはまた、上記クリップをベッドまたはベッドシーツに留めるための手段（例えば、留め具ループ、安全ピン、補強クリップ（ｓｅｃｏｎｄａｒｙ  ｃｌｉｐ）など）を備え得る。
【０００７】
別の実施形態において、尿採集システムのドレインチューブにおいて調節可能なループを維持するためのデバイスが開示され、このデバイスは、ドレインチューブの第１セクションおよび第２セクションを互いに隣り合う関係において保持するための少なくとも１つの凹部を規定する基部を備える。上記デバイスは、このデバイスをベッドまたはベッドシーツに留めるための手段を備え得る。上記基部は、上記ドレインチューブの第１セクションおよび第２セクションを互いに隣り合う関係においてスライド可能に保持するための２つの凹部を規定し得る。
【０００８】
別の実施形態において、尿採集システムと共に使用するためのドレインチューブが提供され、このチューブは、上記チューブの２つのセクションが互いに隣り合う関係にあるループを形成するチューブ、および上記チューブの２つのセクションを互いに隣り合う関係において調節可能に保持するように構成された保持デバイスを備える。上記デバイスは、クリップ、バンドまたは複数のバンドからなる群より選択される。上記デバイスはまた、ベッドまたはベッドシーツに上記ループを留めるための手段を備え得る。上記ループを留めるための手段は、上記保持デバイスと一体化して形成され得る。
【０００９】
別の実施形態において、尿採集システムおよび／またはモニタリングシステムのドレインチューブにおいて背圧が形成されないようにする方法が提供され、この方法は、調節可能なループが形成されたドレインチューブを提供する工程、および上記調節可能なループを、上記尿採集システムおよび／またはモニタリングシステムへの入り口より上の水平面に位置づける工程を包含する。
【００１０】
上記に加えて、本願発明は、以下を提供する：
（項目１）  ドレインチューブにおいて選択的に調節可能なループを形成するためのクリップであって、該クリップは、
基部；
該基部から延びる、少なくとも一対のアームであって、該アームは、ドレインチューブの少なくとも第１セクションを、該ドレインチューブの第２セクションに隣り合う関係において調節可能に保持するように構成された内部把持表面を形成する、少なくとも一対のアーム、
を備える、クリップ。
【００１１】
（項目２）  ベッドまたはベッドシーツに前記クリップを留めるための手段をさらに備える、項目１に記載のクリップ。
【００１２】
（項目３）  尿採集システムのドレインチューブにおいて調節可能なループを維持するためのデバイスであって、該デバイスは、
ドレインチューブの第１セクションおよび第２セクションを、互いに隣り合う関係において保持するための少なくとも１つの凹部を規定する基部、
を備える、デバイス。
【００１３】
（項目４）  ベッドまたはベッドシーツに前記デバイスを留めるための手段をさらに備える、項目３に記載のデバイス。
【００１４】
（項目５）  前記基部は、前記ドレインチューブの第１セクションおよび第２セクションを、互いに隣り合う関係においてスライド可能に保持するための２つの凹部を規定する、項目３に記載のデバイス。
【００１５】
（項目６）  尿採集システムと共に使用するためのドレインチューブであって、該ドレインチューブは、
該チューブの２つのセクションが互いに隣り合う関係にあるループを形成するチューブ；および
該ドレインチューブの２つのセクションを互いに隣り合う関係において調節可能に保持するように構成された保持デバイス、
を備える、ドレインチューブ。
【００１６】
（項目７）  前記保持デバイスは、クリップ、バンドまたは複数のバンドからなる群より選択される、項目６に記載のドレインチューブ。
【００１７】
（項目８）  ベッドまたはベッドシーツに前記ループを留めるための手段をさらに備える、項目６に記載のドレインチューブ。
【００１８】
（項目９）  前記ループを留めるための手段は、前記保持デバイスと一体化して形成される、項目８に記載のドレインチューブ。
【００１９】
（項目１０）  尿採集システムおよび／またはモニタリングシステムのドレインチューブにおいて背圧が形成されないようにする方法であって、該方法は、
調節可能なループが形成されたドレインチューブを提供する工程；および
該調節可能なループを、該尿採集および／またはモニタリングデバイスへの入り口より上の水平面に位置づける工程、
を包含する、方法。
【００２０】
（摘要）
開示されるのは、尿採集システムおよび／またはモニタリングシステムのドレインチューブにおいて調節可能なループを維持するためのデバイスである。ドレインチューブにおいて作成されるループの大きさの調節がドレインチューブの有効長を変化させるようなクリップ、バンドまたは複数のバンドは、調節可能なループを維持する。さらに開示されるのは、尿採集システムおよび／またはモニタリングシステムのドレインチューブにおいて背圧が発生しないようにするための方法である。
【発明を実施するための最良の形態】
【００２１】
（図面の詳細な説明）
尿採集システムのための本開示の調節可能なドレインチューブループの実施形態が、図面を参照しながらここで詳細に記載される。ここで類似の参照番号は、いくつかの図面の各々において同一の要素または対応する要素を示す。
【００２２】
図１は、ドレインチューブ１２および流体レザバ、ならびに／または尿メーター１６を有する尿採集システム１０を図示する。ドレインチューブ１２は、カテーテル端部１３および接続端部１５を備える。ドレインチューブ１２のカテーテル端部１３は、患者に装着されるかまたは患者内に位置づけられたカテーテル（示さず）と操作可能に接続するように構成されている。接続端部１５は、流体レザバ１６のポート１７に操作可能に接続するように構成されている。ポート１７は、レザバ１６の頂部に位置づけられる。流体レザバ１６は、患者の姿勢に調和した位置において支持体１９によってベッドの骨組み１８に固定される。尿採集システムに関連して使用されるドレインチューブで習慣的であるように、ドレインチューブ１２は、ベッドの水平面に位置した患者を流体レザバ１６に接続するために十分であるよりも長い。尿採集システム１０は、ドレインチューブ１２における余分のゆとり１４ａが、流体レザバ１６のポート１７より下に下がるようにしておく従来の実践を採用する。この構成において、尿がドレインチューブ１２を通って流体レザバ１６へと排出される場合、尿は、ポート１７を通って流体レザバ１６へと入るためには上に上がって移動しなければならない。背圧は、レザバ１６へと入るために重力に逆らって移動しなければならない尿から生じる。生じた背圧は、患者の不快感、膀胱拡張、および尿道漏れ（ｍｅａｔａｌ  ｌｅａｋａｇｅ）を含め、深刻な状況をもたらし得る。
【００２３】
ここで図２および図３を参照すると、本開示に従って構築された調節可能なドレインチューブループを採用する尿採集システム２０が図示される。図１に図示される従来の尿採集システムの実践のように、流体レザバ、および／または尿メーター１６は、支持体１９によってベッドの骨組み１８からぶら下がっている。ドレインチューブ１２が流体レザバ１６のポート１７より下に下がるようにしている従来の排出実践とは異なり、尿採集システム２０におけるドレインチューブ１２は、完全に、流体レザバ１６のポート１７より上に維持されている。調節可能なループ１４は、ドレインチューブ１２において形成され、その構成は、クリップ１００によって維持される。ドレインチューブ１２の有効長、すなわち、調節可能なループ１４を除いたカテーテル端部１３と接続端部１５との間のドレインチューブ１２の長さは、調節可能なループ１４の大きさを変化させることによって調節され得る。調節可能なループ１４は、ドレインチューブ１２の余分な長さが、流体レザバ１６のポート１７より上に、ベッドの上で実質的に平坦に置かれることを可能にする。このようにして、ドレインチューブ１２の長さ全体は、流体レザバ１６のポート１７の入り口より下に下がらないようにされる。この構成は、上記ドレインチューブ１２において引き起こされる背圧を緩和または最小にする。この背圧は、ドレインチューブ１２が、流体レザバ１６のポート１７の入り口より下にぶら下がるようになっている従来の実践を採用する場合に生じる。シートクリップ１０１は、クリップ１００に固定され、調節可能なループ１４をベッドに固定する。
【００２４】
図４および５は、概して１００と示される本開示の調節可能なループクリップの一実施形態を図示する。クリップ１００は、一体的に成形された一部品のプラスチッククリップまたはコネクタとして構築される。これらのクリップは、金属、プラスチックなどから形成され得る。クリップ１００は、基部１０２、長手方向に向かい合わせになったアーム１０４および１０６（これらは、基部１０２から延びている）、および留め具フープ１１０（これもまた、基部１０２から延びている）を備える。向かい合わせになったアーム１０４、１０６は、ドレインチューブ１２の隣り合うセクションを、互いに並置されたかまたは隣り合う関係において弾性的に係合、把持および保持するように構築されかつそのような寸法にされる。向かい合わせになったアーム１０４、１０６の各々は、内部把持表面１０８を形成するために互いに鏡像の関係において基部１０２から延びる。把持表面１０８は、ドレインチューブ１２の異なるセクションを受容するために構成された凹部ＡおよびＢを規定する。
【００２５】
ここで図６を参照すると、はじめに、調節可能なループ１４は、ドレインチューブ１２の余分の長さを使用して形成される。わずかにねじって、次にドレインチューブ１２の２つのセクションを重ねることによって、調節可能なループ１４は、ドレインチューブ１２において形成され得る。ドレインチューブ１２の生じる隣り合うセクションは、次いで、１つずつクリップ１００の凹部Ａ、Ｂに挿入される。ループ１４の最初の大きさ、よってドレインチューブ１２の有効長は、ドレインチューブ１２のそれぞれのセクションを、クリップ１００の凹部Ａ、Ｂに挿入する前に調節され得る。この構成において、ループが大きくなると、短くされた有効ドレインチューブ長を生じ、ループが小さくなると、上記ドレインチューブは、より長い有効長を有するようになる。
【００２６】
ここで図７および図８を参照すると、ドレインチューブ１２の長さは、ドレインチューブ１２において形成される調節可能なループ１４の寸法を変化させることによって調節され得る。調節可能なループ１４の大きさを減少させることによって、ドレインチューブ１２の長さは、増大され得る（図７）。ドレインチューブ１２における調節可能なループ１４は、単純に、ドレインチューブ１２のセクションをクリップ１００の凹部Ａ、Ｂの内部から外して、カテーテル端部１３およびドレインチューブ１２のコネクタ端部１５を、長手軸方向において反対方向に引っ張ることによって、小さくされる。ドレインチューブ１２において形成される生じたより小さなループは、ドレインチューブ１２の隣り合うセクションをクリップ１００の凹部Ａ、Ｂに再度挿入することによって維持され得る。調節可能なループ１４は、カテーテル端部１３およびドレインチューブ１２のコネクタ端部１５を長手軸方向に互いに向かって押して調節可能なループ１４の幅を拡げることによって、より大きくされ得る（図８）。
【００２７】
ドレインチューブ１２の有効長を調節する代替手段において、クリップ１００をドレインチューブ１２から外して、ループ１４の寸法を変化させる代わりに、クリップ１００は、ドレインチューブ１２の少なくとも１つのセクションを少なくとも１つの凹部Ａ、Ｂの内部に選択的に位置づけ可能にするように構成され得る。このようにすると、調節可能なループ１４の寸法を変化させる場合に、ドレインチューブ１２の何れのセクションも、クリップ１００から外す必要がなくなる。
【００２８】
クリップ１００はさらに、ループ１４を患者のベッドまたはベッドシーツに固定するのを補助するための留め具フープ１１０を備える。留め具フープ１１０は、基部１０２と一体的に形成される。留め具フープ１１０は、流体レザバ１６のポート１７によって規定される水平面より上に調節可能なループ１４を固定するために、留め手段（すなわち、安全ピン、紐、シーツ鋲（ｓｈｅｅｔ  ｔａｃｋ）またはクリップ）と組み合わせて使用され得る。図２および図３において認められるように、シーツクリップ１０１は、クリップ１００の留め具フープ１１０に取り付けられ、調節可能なループ１４がベッドシーツまたは他の物体に固定されるようになる。シーツクリップおよび他の留め手段は当該分野で周知であり、留め具フープ１１０が任意のこのような公知のクリップを固定して係合するように構成され得ることが想定される。代替的実施形態において、クリップ１００は、代わりに、クリップ１００の基部１０２と一体的に形成されるシーツクリップ１０１を備え得る。
【００２９】
ここで図９および図１０を参照すると、本開示の代替的実施形態は、概して２００として示される。クリップ２００は、クリップ１００と実質的に類似であるが、構築および操作において差異を同定するために必要な程度に詳細に議論されるにすぎない。
【００３０】
図９および１０において認められるように、クリップ２００は、基部２０２および長手軸方向に向かい合わせになったアーム２０４および２０６（これは、基部２０２から延びる）を備える。向かい合わせになったアーム２０４、２０６は、ドレインチューブ１２の隣り合うセクションを、並置したまたは隣り合う関係において互いに弾性的に係合、把持および保持するように構築されかつそのような寸法にされる。向かい合わせになったアーム２０４、２０６の各々は、鏡像の関係において互いに内部把持表面２０８を形成するように、基部２０２から延びる。把持表面２０８は、ドレインチューブ１２のセクションを受容するために構成された凹部ＡおよびＢを規定する。クリップ１００とは異なり、クリップ２００は、ベッドまたはベッドシーツにドレインチューブ１２を固定するための留めループを包含しない。従って、さらなる留め具は、ドレインチューブ１２において形成された調節可能なループ１４をベッドまたはベッドシーツに固定するために、ドレインチューブ１２とともに使用され得る。
【００３１】
ここで図１１および図１２を参照すると、本開示の代替的実施形態が、概して３００として示される。クリップ３００は、クリップ２００に実質的に類似であるが、構築および操作において差異を同定するために必要な程度に詳細に議論されるにすぎない。
【００３２】
図１１および図１２において認められるように、クリップ３００は、基部３０２、ならびにドレインチューブ１２の隣り合うセクションを互いに並置したかまたは隣り合う関係において弾性的に係合、把持および保持するように構築されかつそのような寸法にされている向かい合ってほぼＣ字型のアーム３０４および３０６を備える。上記向かい合ってほぼＣ字型のアーム３０４、３０６の各々は、鏡像の関係において互いに、内部把持表面３０８、３１０を形成するように、向かい合った一対の可撓性曲線アームを有する。図９および図１０において図示されるクリップ２００のように、クリップ３００は、ドレインチューブ１２の調節可能なループ１４をベッドまたはベッドシーツに固定するための留め具を備えない。従って、ドレインチューブ１２をベッドまたはベッドシーツに固定するため、および調節可能なチューブ１２が流体レザバ１６のポート１７より下に下がらないように、さらなる留め具が備えられなければならない。
【００３３】
ここで図１３および図１４を参照すると、本開示に従って構築された調節可能なドレインチューブループは、概して４４０として示される。調節可能なドレインチューブループ４４０は、可撓性バンド４００によって維持される。可撓性バンド４００は、一対の環４０２、４０３と、環４０２、４０３を接続する弾性コード４０４とを備える。環４０２、４０３は、ドレインチューブ１２をスライド可能に係合するような大きさにされる一方で、弛緩した位置にある（図１３）。ドレインチューブ１２の有効長が増大されなければならない事象において、可撓性バンド４００は、制限された動きを許容する一方で、弛緩した位置にある。しかし、可撓性バンド４００は、ドレインチューブ１２をその元のループ状でない長さに伸ばすために引っ張られ得る（図１４）。このようにして、弾性コード４０４は、ドレインチューブ１２を伸ばすために引っ張られる一方で、環４０２、４０３はまた、弾性コード４０４によって付与される引っ張り力によって影響され、わずかに変形する。この変形は、環４０２、４０３がドレインチューブ１２を把持しかつ可撓性バンド４００が弛緩した位置にスライドして戻らないようにすることを可能にする。一旦弾性コード４０４を引っ張るように付与された力が取り払われると、調節可能なループ４４０は、ドレインチューブ１２に戻る。
【００３４】
ここで図１５〜１７を参照すると、本開示に従って構築された調節可能なドレインチューブループの代替的構成が示される。図１５〜図１７は、ドレインチューブ１２において調節可能なドレインチューブループを維持するための１つ以上のバンド５００を備える。バンド５００は、ドレインチューブ１２の交差するセクションの周りに、水平方向において（図１７）、垂直方向において（図１６）、または水平方向および垂直方向の両方において（図１５）、位置づけられる。バンド５００は、任意の材料（プラスチック、ゴム、布および金属が挙げられる）で構築され得る。バンド５００は、材料の単一のストランドまたは複数のストランドで構築される。バンド５００は、ドレインチューブ１２をスライド可能に係合するような大きさにされる。バンド５００は、ドレインチューブ１２と解放可能に係合可能であり得る。ドレインチューブ１２の有効長は、代替的実施形態に関して上に記載されるようにバンド５００によって形成される調節可能なループの大きさを変化させることによって調節され得る。留め具ループなしで調節可能なループを維持するための他の実施形態のように、図１５〜図１７において示される調節可能なドレインチューブループはまた、ドレインチューブ１２をベッドまたはベッドシーツに取り付けるためにシーツクリップまたは他の留め具を備えなければならない。代替的実施形態において、バンド５００は、ドレインチューブ１２をベッドまたはベッドシーツに取り付けるために、留め手段を備え得る。
【００３５】
種々の改変が本明細書中に開示される実施形態に対してなされ得ることが理解される。従って、上記の説明は、限定として解釈されるべきではなく、単に好ましい実施形態の例示として解釈されるべきである。当業者は、添付の特許請求の範囲の範囲および趣旨の範囲内で他の改変を想定する。
【図面の簡単な説明】
【００３６】
【図１】図１は、尿採集システムの側面図である。このシステムは、病院のベッドの骨組みに固定されかつ採集レザバより下に上記チューブを吊り下げる従来の実践を使用するための尿採集デバイスを備える。
【図２】図２は、病院のベッドの骨組みに固定された尿採集デバイスおよび本開示に従って構築されたクリップで構成されたドレインチューブを備える尿採集デバイスを備える、尿採集システムの斜視図である。
【図３】図３は、図２の尿採集システムの平面図である。
【図４】図４は、本開示に従って構築されたクリップの一実施形態の側面図である。
【図５】図５は、図５において示される実施形態の平面図である。
【図６】図６は、ドレインチューブにおいて調節可能なループを形成するために使用される、図４および図５において示される実施形態の側面からの斜視図である。
【図７】図７は、ドレインチューブにおいて調節可能なループを形成するために使用される図６において示される実施形態の上面からの斜視図であり、ドレインチューブの有効長を延ばすプロセスを図示する。
【図８】図８は、ドレインチューブにおいて調節可能なループを形成するために使用される図６において示される実施形態の上面からの斜視図であり、ドレインチューブの有効長を短くするプロセスを図示する。
【図９】図９は、本開示に従って構築されたクリップの代替的実施形態の側面図である。
【図１０】図１０は、図９において示される実施形態の平面図である。
【図１１】図１１は、本開示に従って構築されたクリップの別の実施形態の側面図である。
【図１２】図１２は、図１１において示される実施形態の平面図である。
【図１３】図１３は、本開示に従って構築された調節可能なドレインチューブループの一実施形態の側面図である。
【図１４】図１４は、調節可能なループが完全に拡げられた、図１３において示される実施形態の側面図である。
【図１５】図１５は、本開示に従って構築された調節可能なドレインチューブループの代替的実施形態の側面図である。
【図１６】図１６は、本開示に従って構築された調節可能なドレインチューブループの別の代替的実施形態の側面図である。
【図１７】図１７は、本開示に従って構築された調節可能なドレインチューブループのなお別の代替的実施形態の側面図である。
【図１】
2007275599.tif 000003
【図２】
2007275599.tif 000004
【図３】
2007275599.tif 000005
【図４】
2007275599.tif 000006
【図５】
2007275599.tif 000007
【図６】
2007275599.tif 000008
【図７】
2007275599.tif 000009
【図８】
2007275599.tif 000010
【図９】
2007275599.tif 000011
【図１０】
2007275599.tif 000012
【図１１】
2007275599.tif 000013
【図１２】
2007275599.tif 000014
【図１３】
2007275599.tif 000015
【図１４】
2007275599.tif 000016
【図１５】
2007275599.tif 000017
【図１６】
2007275599.tif 000018
【図１７】
2007275599.tif 000019